(57)【要約】      （修正有）【課題】簡単な構成によって利用者の頚部及び肩部の安定的な保持を図る自動車用パッドを提供する。【解決手段】正面がほぼ溝形に形成されている袋状のカバー部材１と、このカバー部材内に充填されている粒状の硬質部材からなる充填部材２と、自動車のヘッドレストに取り付けるための取付けベルト３とからなる。カバー部材１は中央部に設けている頚部保持部１１と、この頚部保持部の両側から下方向に延伸し互いに対向的に配置されている肩保持部１２とからなる。充填部材２は収納袋５内に詰められており、この収納袋をカバー部材１に入れてある。【選択図】図１
0003153231.tif 000002
【実用新案登録請求の範囲】
【請求項１】
正面がほぼ溝形に形成されている袋状のカバー部材と、このカバー部材内に充填されている充填部材と自動車のヘッドレストに取り付けるための取付け具とを備えており、
上記カバー部材は中央部に設けている頚部保持部と、この頚部保持部の両側から下方向に延伸し互いに対向的に配置されている肩保持部とからなり、
上記充填部材は粒状の硬質部材であることを特徴とする自動車用パッド。
【請求項２】
頚部保持部の断面は、使用者の頚部から後頭部に沿う曲面を形成していることを特徴とする請求項１記載の自動車用パッド。
【請求項３】
粒状の硬質部材は、プラスチック製小円筒、プラスチック製小球体、プラスチック製小円柱体、プラスチック製小角柱のうちから、少なくともいずれか１種が選択されることを特徴とする請求項１又は請求項２記載の自動車用パッド。
【請求項４】
充填部材は収納袋内に充填されており、この収納袋はカバー部材の内面に密着状態に配置されていることを特徴とする請求項１乃至請求項３のいずれかに記載の自動車用パッド。
【請求項５】
取付け具は、背面に装着してある取付けベルトであることを特徴とする請求項１乃至請求項４のいずれかに記載の自動車用パッド。
【考案の詳細な説明】
【技術分野】
【０００１】
この考案は、使用者の頚部を支えることができる自動車用パッドに関するものである。
【背景技術】
【０００２】
使用者の頚部を支えることができる自動車用パッドとして、例えば特開平２−４５０４１号公報に記載のクッション及び特開２００１−３５３０４０号公報に記載のアウトドア枕（以下、「従来例１」及び「従来例２」という。）が提案されている。
上記従来例１は、自動車運転席のヘッドレストに取り付けてドライバーの疲労防止を図るものであり、ヘッドレストカバーにクッションを取り付け、上記ヘッドレストから運転中離れる頭までの間を埋めるようになっている。
上記従来例２は、カバー部材と、このカバー部材に収納されている充填材と、上記カバー部材のヘッドレストとの当接面の側縁部に設けられた帯状の固定具とからなるアウトドア枕である。このアウトドア枕の使用時には、これを帯状の固定具を用いて自動車のヘッドレストに取り付けて、自動車のシートに着座した人の頚部から頭部にかけて安定的に保持してドライバーの疲労を軽減するものである。
【先行技術文献】
【特許文献】
【０００３】
【特許文献１】特開平２−４５０４１号公報
【特許文献２】特開２００１−３５３０４０号公報
【考案の概要】
【考案が解決しようとする課題】
【０００４】
従来例１及び従来例２はいずれも使用者の疲労を軽減する効果があると推測されるものの、頚部及び肩部にかかる疲労を軽減するために、利用者の頚部及び肩部の安定的な保持を図るためにはさらなる構造の改良が必要であった。
この考案の目的は、簡単な構成によって利用者の頚部及び肩部の安定的な保持を図ることにある。
【課題を解決するための手段】
【０００５】
この考案に係る自動車用パッドは、正面がほぼ溝形に形成されている袋状のカバー部材と、このカバー部材内に充填されている充填部材と、自動車のヘッドレストに取り付けるための取付け具とを備えている。上記カバー部材は中央部に設けている頚部保持部と、この頚部保持部の両側から下方向に延伸し互いに対向的に配置されている肩保持部とからなる。上記充填部材は粒状の硬質部材である。
上記頚部保持部は、その断面を使用者の頚部から後頭部に沿う曲面に形成して頚部の安定的な保持を可能にすることが望ましい。上記カバー部材の程よい硬さと所定形状の保持を確保するために、上記粒状の硬質部材には、例えばプラスチック製小円筒、プラスチック製小球体、プラスチック製小円柱体、プラスチック製小角柱のうちから、いずれか１種又は複数種が用いられる。また、充填部材は収納袋内に納めておくのが、充填部材を交換しやすく、この場合、この収納袋はカバー内面に密着状態に配置されている。
上記取付け具として、例えば取付けベルトを用いる。
【考案の効果】
【０００６】
この考案の自動車用パッドによれば、内部に粒状の硬質部材である充填部材を充填し、頚部保持部及び肩保持部を備えているので、簡単な構成によって利用者の頚部及び肩部の安定的な保持を図ることができる。
【図面の簡単な説明】
【０００７】
【図１】この考案に係る自動車用パッドを示す一部切欠正面図である。
【図２】この考案に係る自動車用パッドを示す側面図である。
【図３】この考案に係る自動車用パッドを示す背面図である。
【図４】この考案に係る自動車用パッドを分解した状態を示す正面図である。
【図５】この考案に係る自動車用パッドの取付け方法の一例を示す側面図である。
【図６】この考案に係る自動車用パッドの取付け方法の他の例を示す側面図である。
【考案を実施するための形態】
【０００８】
この考案に係る自動車用パッドの実施形態について説明する。
図１〜図３において、自動車用パッドＰは袋状のカバー部材１と、このカバー部材内に充填されている充填部材２と、取付け具である取付けベルト３とを備えている。
【０００９】
カバー部材１は正面がほぼＵ字形に形成されている。カバー部材１は中央部が頚部保持部１１であり、この頚部保持部の両側が肩保持部１２となっている。肩保持部１２は、頚部保持部１１の両側から同一方向（図１下方向に）に延伸し、穴部１３を挟んで互いに対向的に配置されている。カバー部材１は正面がほぼＵ字形の上下のカバー部材を重ね合わせて、外周縁を内側に折り曲げて、互いに重ねられている部分を縫い合わせたものであり、図２には外周の中央部分に折り込み線１４が描かれている。
カバー部材１は上辺部に後述する収納袋５を出し入れするための開口部１５を開けてある。開口部１５はファスナー４によって開閉可能である。
【００１０】
充填部材２は自動車用パッドＰの芯材となるものであって、プラスチック製小円筒、プラスチック製小球体、プラスチック製小円柱体又はプラスチック製小角柱などの粒状の硬質部材を用いている。充填部材２は収納袋５内にほぼ密の状態で納められ、自動車用パッドの所定形状を維持しつつ安定的保持に適した硬さを有する程度に充填されている。
収納袋５は、図４に示すように、カバー部材１の形状と同様であって、カバー部材内に密着状態に配置されている。充填部材２を詰めている収納袋５は、ファスナー４を用いてカバー部材１の開口部１５を開放することによって、このカバー部材の外部へ取り出され、また内部に納められる。
【００１１】
図１〜図３に示すように、自動車用パッドＰの頚部保持部１１は、その断面が使用者７（図５）の頚部を安定して保持できるように頚部から後頭部に沿って凸状の円弧面（曲面）を形成している。また、両肩保持部１２間は使用者の平均的な左右両肩幅と等しいか幾分長くして、使用者の両肩を安定して保持できるようにしている。
【００１２】
図２、図３及び図５に示すように、取付けベルト３はカバー部材１の背面に、垂直方向又は左右方向、図３に示す例では、上記背面を横断するように左右方向（水平方向）に配置されている。取付けベルト３は、その中間部分において互いに係合及び離脱可能である係合具３１及び係止具３２によって連結されている。
図３及び図５に示すように、取付けベルト３を用いて自動車用パッドＰを自動車のヘッドレスト６に取り付けるには、係合具３１と係止具３２との係合を解いてから分離した取付けベルト部分をヘッドレストの下側に回し、カバー部材１の上側背面をヘッドレスト６の正面（前面）の下側に当ててから係合具３１と係止具３２とを再び係合させる。この結果、自動車用パッドＰは自動車のヘッドレスト６の正面の下側に装着される。
【００１３】
次に使用方法について説明する。
まず、自動車用パッドＰの取付け方法として、図５に示すように取付けベルト３を用いて自動車のヘッドレスト６の下側に固定する。
次いで、使用者７であるドライバーは長時間の運転によって疲れた時、シート側に寄りかかると、頚部が自動車用パッドＰの頚部保持部１１に当たり、両肩が肩保持部１２に当たるから、頚部及び肩部が自動車用パッドの頚部保持部及び肩保持部に支えられ、しかも自動車用パッドが充填部材２によって程よい硬さに保たれているので、安定した保持ができると共に、マッサージの効果が得られ、疲労回復に寄与することができる。
自動車用パッドＰの他の取付け方法として、図６に示すように取付けベルト３を用いて自動車のヘッドレスト６のほぼ中間に固定する。この例では、取付けベルト３として、長さ調整可能のベルトを用いれば、取り付けがし易い。
上記各取付け方法は、車種によって適宜選択する。
【００１４】
自動車用パッドＰは、持ち運びが可能であるために、利用範囲としては車内に限らず、屋内外を問うことなく、どこでも携帯して使用することができる。
充填部材２は収納袋５を通じてカバー部材１内に充填されているので、収納袋を取り出すだけで、充填部材２のすべてを一度に取り出すことができ、充填部材の交換が容易となる。しかし、充填部材２を収納袋５を使用しないで、直接カバー部材１内に詰めても良い。また充填部材２は自動車用パッドＰの形状が保たれつつ、安定的な保持に適する硬さを保持できる粒状の硬質部材であれば、その形状及び材質を問わない。充填部材２は粒状の硬質部材であるために、自動車用パッドＰの通気性が得られるほかに、使用者７が疲労時に自動車用パッドＰに寄りかかったり、離れたりする動作を繰り返すことによって、頚部保持部１１及び肩保持部１２が程よい硬さに保たれているので、マッサージの効果による疲労回復を図ることができる。
【符号の説明】
【００１５】
Ｐ            自動車用パッド
１            カバー部材
１１          頚部保持部
１２          肩保持部
１３          穴部
２            充填部材
３            取付けベルト（取付け具）
５            収納袋
６            ヘッドレスト
７            使用者
【図１】
0003153231.tif 000003
【図２】
0003153231.tif 000004
【図３】
0003153231.tif 000005
【図４】
0003153231.tif 000006
【図５】
0003153231.tif 000007
【図６】
0003153231.tif 000008